(57)【特許請求の範囲】
【請求項１】
吸気口及び吹出口が形成された本体と、
前記吸気口から前記本体内に空気を取り込み、前記吹出口から空気を吹き出す送風手段と、
前記本体に設けられる水タンクと、
前記本体内に設けられ、前記水タンクから供給される水を貯留する水受部と、
前記水受部に接続され、当該水受部の水が流れる給水通路と、
前記本体内に設けられ、前記給水通路を介して前記水受部の水が供給される霧化水槽と、
前記霧化水槽に設けられ、前記霧化水槽内の水を霧化する振動手段と、
前記霧化水槽に接触して設けられ、前記霧化水槽内の水を加熱する加熱手段と、
一方が前記給水通路に連通し、他方が前記霧化水槽内に連通し、前記霧化水槽に接触して設けられ、前記加熱手段の下側に配置された予熱用配管とを有する
ことを特徴とする加湿装置。
【請求項２】
前記霧化水槽内の水の温度を計測する水温計測手段と、
前記振動手段及び前記加熱手段を制御する制御手段とを有し、
前記制御手段は、
運転を開始すると、前記加熱手段を駆動させ、前記水温計測手段の計測結果が予め設定される第１の温度に到達してから、予め設定される第１の時間を経過した後に前記振動手段を動作させる
ことを特徴とする請求項１に記載の加湿装置。
【請求項３】
前記予熱用配管は、
前記給水通路を介して供給される水が、加湿量に応じて前記予熱用配管内を通過するのに要する時間が予め設定される第２の時間以上となるように長さ及び内径が設定されている
ことを特徴とする請求項１又は２に記載の加湿装置。
【請求項４】
前記制御手段は、
前記水温計測手段の計測結果から前記予熱用配管内の水温を算出し、前記予熱用配管を通過する水が、予め設定される第２の温度となるように前記加熱手段を駆動させる
ことを特徴とする請求項１〜３のいずれか一項に記載の加湿装置。
【請求項５】
前記霧化水槽は、
前記給水通路及び前記予熱用配管を介して前記水受部から供給される水を貯留する凹形状部を有し、
前記予熱用配管及び前記加熱手段は、
当該霧化水槽を水平断面視したときに、前記凹形状部の外周側に沿って設けられている
ことを特徴とする請求項１〜４のいずれか一項に記載の加湿装置。
【請求項６】
一方が前記予熱用配管の端部のうち前記給水通路とは反対側の端部に接続される連結チューブを有し、
前記霧化水槽は、
当該霧化水槽の外側に突出するように形成され、前記凹形状部に連通する流入口を有し、当該流入口が前記連結チューブの他方に接続されている
ことを特徴とする請求項５に記載の加湿装置。
【発明の詳細な説明】
【技術分野】
【０００１】
本発明は、加湿装置に関するものである。
【背景技術】
【０００２】
従来より、着脱自在の給水タンクから水が供給される貯水水槽と、当該貯水水槽から水が供給される霧化水槽と、貯水水槽と霧化水槽を連通する給水通路と、霧化水槽底部に設けられ、霧化に用いられる超音波振動子を有し、給水タンク内の水が、貯水水槽の給水口及び給水通路を介して霧化水槽に供給されるようになっている加湿装置が提案されている（たとえば、特許文献１参照）。この特許文献１に記載の技術は、給水通路内の水を加熱殺菌するためのヒータを備えたものである。
【０００３】
すなわち、特許文献１に記載の技術は、水を入れた給水タンクを本体に設置すると貯水水槽に給水が行われ、当該貯水水槽に給水された水が給水通路を介して霧化水槽へ供給される。ここで、給水通路を通る水は、給水通路に設けられたヒータにより加熱されて殺菌されるようになっている。
【先行技術文献】
【特許文献】
【０００４】
【特許文献１】特許第２５８９９２２号公報（たとえば、特許請求の範囲及び図１参照）
【発明の概要】
【発明が解決しようとする課題】
【０００５】
特許文献１に記載の技術は、加湿装置の運転を停止すると、霧化水槽内の水は貯留されたままとなる。したがって、後日（たとえば翌日〜数日後）に加湿装置の運転を開始すると、霧化水槽内に貯留されたままの水が霧化されることとなる。この霧化される水は、たとえば数日程度放置されたままとなっているため、雑菌などが繁殖してしまっている可能性がある。
すなわち、特許文献１に記載の技術は、霧化水槽にヒータが搭載されたものではないことから、加湿装置の運転を後日開始した場合に、雑菌が繁殖した可能性のある水を霧化して室内に供給してしまうという課題があった。
【０００６】
一方、加湿通路の代わりに霧化水槽にヒータを搭載した場合には、霧化水槽に貯水された水の殺菌をすることができる。しかし、加湿運転中には常に霧化が行われているため、加湿運転中に貯水水槽から霧化水槽に供給される新しい水に対して殺菌効果を得ようとすると、貯水水槽から水が供給されたら直ぐに殺菌する必要がある。このため、加湿運転中に霧化装置を常に煮沸状態にすることが必要がある。
すなわち、加湿通路の代わりに霧化水槽にヒータを搭載した場合には、加湿運転中に霧化装置を常に煮沸状態にする分、高温の水によってユーザーがやけどするなどして利便性が損なわれるという課題があった。また、煮沸状態にするためにヒータに通電し続ける分、省エネルギー性が損なわれてしまったりするという課題があった。
【０００７】
なお、加湿通路及び霧化水槽にヒータを搭載すると、霧化水槽内に貯留された水及び加湿運転中の水を加熱殺菌することが可能となるが、ヒータの設置スペースや部品コストが余計に掛かってしまうという課題があった。
【０００８】
本発明は、以上のような課題のうちの少なくとも１つを解決するためになされたもので、霧化する水の衛生性を確保する加湿装置を提供することを目的としている。
【課題を解決するための手段】
【０００９】
本発明に係る加湿装置は、吸気口及び吹出口が形成された本体と、吸気口から本体内に空気を取り込み、吹出口から空気を吹き出す送風手段と、本体に設けられる水タンクと、本体内に設けられ、水タンクから供給される水を貯留する水受部と、水受部に接続され、当該水受部の水が流れる給水通路と、本体内に設けられ、給水通路を介して水受部の水が供給される霧化水槽と、霧化水槽に設けられ、霧化水槽内の水を霧化する振動手段と、霧化水槽に接触して設けられ、霧化水槽内の水を加熱する加熱手段と、一方が給水通路に連通し、他方が霧化水槽内に連通し、霧化水槽に接触して設けられ、加熱手段の下側に配置された予熱用配管とを有するものである。
【発明の効果】
【００１０】
本発明に係る加湿装置によれば、霧化水槽に設けられる加熱手段を有するので、霧化水槽に貯留され、雑菌が繁殖した可能性のある水を加熱殺菌することができ、霧化する水の衛生性を確保することができる。
【図面の簡単な説明】
【００１１】
【図１】本発明の実施の形態に係る加湿装置の概略を示す縦断面図である。
【図２】図１に示す霧化水槽の斜視図である。
【図３】図１に示す加熱手段の斜視図である。
【図４】図１に示す予熱用配管の斜視図である。
【図５】本発明の実施の形態に係る加湿装置の制御ブロック図である。
【図６】図１に示す霧化水槽、予熱用配管及び連結チューブのＡ−Ａ断面図である。
【発明を実施するための形態】
【００１２】
以下、本発明の実施の形態を図面に基づいて説明する。
実施の形態．  
図１は、実施の形態に係る加湿装置１００の概略を示す縦断面図である。図２は、図１に示す霧化水槽６の斜視図である。図３は、図１に示す加熱手段７の斜視図である。図４は、図１に示す予熱用配管８の斜視図である。
本実施の形態に係る加湿装置１００は、省スペース、省エネルギー及びコストアップの抑制を実現しながら、霧化する水の衛生性を確保する改良が加えられたものである。
【００１３】
［構成説明］
加湿装置１００は、空気を取り込むための吸気口１０及びこの取り込んだ空気を霧化した水とともに放出する吹出口１５を有する本体１と、本体１に着脱自在に設けられ、水を貯留可能な水タンク２と、水タンク２から供給される水を貯留する水受部５と、超音波振動子１３が底部に設けられ、水受部５から供給される水が霧化される霧化水槽６と、水受部５側から霧化水槽６側に水を供給するためのゴムホース２８と、霧化水槽６の上側に設けられる霧案内筒９と、本体１内に取り込んだ空気と霧化水槽６で生成した霧を混合させる混合室１４を有する空気案内筒１２とを有している。
【００１４】
また、加湿装置１００は、図示は省略しているが、吸気口１０から本体１内に空気を取り込み、当該空気を霧化された水とともに吹出口１５から放出する送風ファン（送風手段）が搭載されている。
さらに、加湿装置１００は、図１〜図４では図示を省略しているが、温度センサー１８などの各種センサー、各種制御をするマイクロコンピューター２１、及びたとえば運転状況などをユーザーに知らせる表示部２７などを有している（図５参照）。
【００１５】
（本体１）
本体１は、加湿装置１００の外郭を構成しており、水タンク２、水受部５、霧化水槽６、ゴムホース２８、霧案内筒９、空気案内筒１２、図示省略の送風ファン、及びマイクロコンピューター２１などを有している。そして、本体１は、送風ファンの作用によって、吸気口１０を介して本体１内に空気が取り込まれ、霧化水槽６で霧化した水とともに吹出口１５を介して放出可能となっている。
【００１６】
本体１の側面の下側には、本体１内に空気を取り込む吸気口１０が形成されている。また、本体１の上面を構成する上面部１Ａには、本体１内に取り込まれた空気とともに、霧化水槽６で霧化された水を放出する吹出口１５が形成されている。なお、上面部１Ａは、たとえば、水タンク２などを取り付けることができるように、本体１から取り外すことができるようになっている。
【００１７】
（水タンク２）
水タンク２は、本体１に着脱自在に設けられるものであり、内部に水を貯留することができるものである。水タンク２の下側には、タンクキャップ３が設けられている。タンクキャップ３には、水タンク２内の水が通過する落水口４が設けられており、この落水口４を介して水タンク２内の水が水受部５に流入するようになっている。また、タンクキャップ３には水タンク２の運搬時などに落水口４を閉じるための止水弁２９が設けられており、運搬時などはバネ３０の復元力によって止水弁２９は閉じられている。なお、水タンク２は、図１に示すように、霧案内筒９及び空気案内筒１２の紙面左側であって、水受部５の上側に設けられている。
【００１８】
なお、落水口４は、タンクキャップ３に設けられた止水弁２９の弁シャフト２９Ａが、後述する水受部５の凸部５Ｂにより上方に押されることで、開放されるようになっている。また、タンクキャップ３は、水受部５に供給される水が、水受部５において一定の水位に達すると水タンク２から水受部５への水の供給が止まるように構成されている。
【００１９】
（水受部５）
水受部５は、水タンク２から供給される水を貯留するものである。水受部５は、水タンク２の下側に設けられている。また、図１に示すように、水受部５は、霧化水槽６の紙面左側に設けられている。水受部５には、ゴムホース２８の一方が接続され、水受部５に貯留された水を霧化水槽６に供給する接続部５Ａが設けられている。接続部５Ａは、下側に向かって突出するように形成されている。そして、接続部５Ａには、開口である給水口１６が形成され、水受部５とゴムホース２８とが連通している。また、水受部５には、タンクキャップ３が取り付けられる凸部５Ｂが形成されている。この凸部５Ｂは、上側に突出するように形成されている。
【００２０】
（霧化水槽６）
霧化水槽６は、ゴムホース２８を介して水受部５から供給される水を貯留し、当該貯留している水を霧化させるものである。霧化水槽６は、図１に示すように水受部から供給される水を貯留することができるように、略凹形状となっている。すなわち、霧化水槽６は、ゴムホース２８及び予熱用配管８を介して水受部５から供給される水を貯留する凹形状部６Ａを有している。そして、凹形状部６Ａの上部には、霧案内筒９と連通するように開口６Ｃが形成されている。
【００２１】
霧化水槽６の下側には、霧化水槽６の凹形状部６Ａ内の水を霧化させる超音波振動子１３が設けられている。すなわち、この超音波振動子１３の振動が凹形状部６Ａ内の水に伝達されることにより、凹形状部６Ａ内の水が霧化されるようになっている。また、霧化水槽６には、凹形状部６Ａに貯留されている水の温度を計測する水温計測手段２０が設けられている。水温計測手段２０は、たとえば、凹形状部６Ａに貯留される水の水温を直接又は間接的に計測するサーミスタなどで構成するとよい。
霧化水槽６は、たとえばアルミニウムのダイキャストなどで成形したもので構成するとよい。また、霧化水槽６の凹形状部６Ａに貯留される水の水位は、たとえば４０〜５０（ｍｍ）とする。
【００２２】
霧化水槽６は、図１及び図３に示すように、霧化水槽６内に貯留されている水を加熱する加熱手段７が設けられており、霧化水槽６内に貯留されている水を殺菌することができるようになっている。これにより、水に雑菌が繁殖することを抑制することができるようになっている。
また、霧化水槽６は、図１及び図４に示すように、加熱手段７の熱が霧化水槽６を介して伝達されるように霧化水槽６に接触して設けられる予熱用配管８が設けられている。この予熱用配管８は、一方がゴムホース２８に連通するように接続され、他方が霧化水槽６内に連通するように接続されているものである。これにより、加熱手段７の熱が予熱用配管８に伝達され、水受部５から霧化水槽６に水が供給される間に水を加熱殺菌することが可能となっている。
さらに、霧化水槽６は、図１及び図２に示すように、予熱用配管８から流出した水を凹形状部６Ａ内に供給する連結チューブ１１を有している。ここで、霧化水槽６には、この霧化水槽６の外側に突出するように形成され、凹形状部６Ａに連通する流入口６Ｂが形成されている。そして、連結チューブ１１は、一方が流入口６Ｂに接続され、他方が予熱用配管８に接続されており、略Ｕ字形状をしている。
【００２３】
加熱手段７は、水を殺菌するものであり、たとえばシーズヒータなどで構成されるものである。加熱手段７は、図３に示すように霧化水槽６の凹形状部６Ａに設けられ、凹形状部６Ａに貯留されている水を取り囲むような形状をしている。この加熱手段７は、通電されることで発熱し、この熱が霧化水槽６を介して霧化水槽６内に貯留されている水に伝達される。また、加熱手段７の熱は、霧化水槽６を介して予熱用配管８に伝達され、この予熱用配管８に伝達された熱が予熱用配管８を流れる水に伝達されるようになっている。
【００２４】
予熱用配管８は、たとえばアルミニウムやステンレスを材料とし、鋳込みにより、霧化水槽６に設けられている配管である。予熱用配管８は、一方がゴムホース２８に接続され、他方が連結チューブ１１に接続されているものである。予熱用配管８は、図４に示すように、霧化水槽６の凹形状部６Ａであって加熱手段７の下側に設けられている。そして、霧化水槽６を水平断面視したときに、予熱用配管８の一部は、凹形状部６Ａの外周側に沿って設けられている。
なお、加熱手段７および予熱用配管８は、鋳込みに限定されるものではなく、たとえばカシメによって霧化水槽６に設けてもよい。
【００２５】
なお、上述のように、予熱用配管８は、霧化水槽６の凹形状部６Ａ内に設けられているものとして説明したがそれに限定されるものではない。予熱用配管８は、加熱手段７からの熱が伝達されるように、たとえば霧化水槽の凹形状部６Ａの外周に密着するように設けられていてもよい。
【００２６】
（ゴムホース２８）
ゴムホース２８は、一方が水受部５の接続部５Ａに接続され、他方が霧化水槽６の予熱用配管８に接続されるものであり、水受部５に貯留されている水を霧化水槽６に供給するものである。図１に示すように、ゴムホース２８は、接続部５Ａを起点としたとき、接続部５Ａから水平方向に延出した後に、上側に曲げられて霧化水槽６の予熱用配管８に接続されている。なお、ゴムホース２８は、ゴムで構成することに限定されるものではなく、たとえば金属などで構成してもよい。
【００２７】
（霧案内筒９及び空気案内筒１２）
霧案内筒９は、霧化水槽６の上側に設けられ、霧化水槽６の開口６Ｃから放出される霧化された水を本体１の上側に導くものである。
空気案内筒１２は、霧案内筒９内で霧化された水と、空気案内筒１２内の空気とが合流する混合室１４及び吹出口１５の形成位置に設けられる開口部１２Ａを有している。すなわち、混合室１４内の空気及び霧化された水は、送風ファンの作用によって、強制的に、開口部１２Ａを介して本体１外に放出されるようになっている。
また、図１に示すように、霧案内筒９及び空気案内筒１２は、水タンク２の紙面右側に設けられている。
【００２８】
図５は、実施の形態に係る加湿装置１００の制御ブロック図である。加湿装置１００は、図５に示すように、上述の構成に加えて、加湿装置１００の運転をオンオフする運転スイッチ１７、室内などの温度を検出する温度センサー１８、室内の湿度を検出する湿度センサー１９、霧化水槽６内の温度を計測する上述の水温計測手段２０、及び運転中に必要な表示を行う表示部２７及び制御手段としてのマイクロコンピューター２１を有している。
【００２９】
（運転スイッチ１７及び表示部２７）
運転スイッチ１７は、ユーザーが加湿装置１００の運転をオンオフすることができるように、たとえば本体１の側面などに設けられるスイッチである。表示部２７は、ユーザーが加湿装置１００の運転状態などを認識することができるように、報知をするためのものである。なお、運転スイッチ１７及び表示部２７は、マイクロコンピューター２１に接続されている。
【００３０】
（温度センサー１８及び湿度センサー１９）
温度センサー１８は、加湿装置１００の設置される室内温度を検出するセンサーである。また、湿度センサー１９は、加湿装置１００の設置される室内湿度を検出するセンサーである。温度センサー１８及び湿度センサー１９は、マイクロコンピューター２１に接続されている。
【００３１】
（マイクロコンピューター２１）
マイクロコンピューター２１は、運転スイッチ１７、温度センサー１８、湿度センサー１９及び水温計測手段２０からの出力を受ける入力回路２２、入力回路２２からの出力を受ける制御部２４、加湿制御に用いる運転プログラムなどを記憶した記憶部２３、及び制御部２４からの出力を受ける出力回路２６を有している。
入力回路２２は、運転スイッチ１７、温度センサー１８、湿度センサー１９及び水温計測手段２０からの出力を、制御部２４に出力するためのものである。
【００３２】
制御部２４は、各種センサーの検出結果及び蓄積しているデータに基づいて加湿装置１００の統括制御を実施する。すなわち、制御部２４は、「入力回路２２から出力される運転スイッチ１７、温度センサー１８、湿度センサー１９及び水温計測手段２０の検出結果」及び「記憶部２３のデータ」に基づいて、表示部２７、加熱手段７及び超音波振動子１３の制御などを実施する。また、制御部２４は、時間のカウントを実施する計時手段であるタイマー部２５を有している。
【００３３】
記憶部２３は、加湿制御に用いる運転プログラムなどを記憶しているものである。すなわち、記憶部２３は、後述する水を加熱殺菌する際のプロファイルなどが記憶されている。出力回路２６は、制御部２４からの出力を、表示部２７、加熱手段７及び超音波振動子１３に出力するためのものである。
【００３４】
図６は、図１に示す霧化水槽６、予熱用配管８及び連結チューブ１１のＡ−Ａ断面図である。図６を参照して予熱用配管８の長さ及び内径などについて説明する。
予熱用配管８の長さＬ及び内径Ｄは、加湿装置１００の加湿能力に応じた寸法に設定されている。たとえば、加湿装置の加湿能力が、０．５（ｍＬ／ｍｉｎ）である場合には、予熱用配管８の長さＬを３２（ｍｍ）以上とし、内径Ｄを８（ｍｍ）に設定し、予熱用配管８の入口から霧化水槽６に入るまでの時間が所定時間（後述のｔ２に対応）以上になるようにする。なお、この予熱用配管８の長さＬとは、予熱用配管８のうち霧化水槽６の凹形状部６Ａ内に含まれる部分の予熱用配管８の長さに対応するものである。
これにより、加湿装置１００は、加湿運転中において、新たに水受部５から霧化水槽６に供給される水を、予熱用配管８で加熱殺菌することができるものとなっており、霧化水槽６内に流入した水が超音波振動子１３によりすぐに霧化されても、加湿装置１００外に菌を放出することを抑制することができる。
【００３５】
［加湿装置１００の動作説明］
水タンク２を本体１に取り付けると、水タンク２内の水はタンクキャップ３に備えられている落水口４を通って水受部５に供給されタンクキャップ３により一定水位に保持される。ここで、水受部５の水は、本体１に形成された給水口１６からゴムホース２８、予熱用配管８及び連結チューブ１１を介して霧化水槽６に供給される。霧化水槽６内の水位は水受部５と同水位に保持される。すなわち、霧化水槽６の凹形状部６Ａの底面より４０〜５０（ｍｍ）の高さに保持される。
【００３６】
この状態で運転スイッチ１７をオンにすると、マイクロコンピューター２１により加熱手段７への通電命令が出て、加熱手段７に通電が行われ、霧化水槽６内の水が加熱される。その際、霧化水槽６に設けられた水温計測手段２０により霧化水槽６内の水温を計測している。すなわち、マイクロコンピューター２１は、水温計測手段２０の計測結果が、予め設定され記憶部２３に記憶された温度Ｔ１（第１の温度）に到達するか否かを判定する。そして、マイクロコンピューター２１は、温度Ｔ１に到達した時点からタイマー部２５により時間計測を開始し、予め設定され記憶部２３に記憶された時間ｔ１（第１の時間）が経過したか否かを判定する。
【００３７】
ここで、温度Ｔ１及び時間ｔ１は菌の加熱殺菌に必要なプロファイルに基づき設定されている（たとえば、Ｔ１が８０℃、ｔ１が１分）ため、運転開始時の霧化水槽６内部の水の加熱殺菌が可能となる。
これにより、加湿装置１００を前回使用した後に霧化水槽６内の水を排水せず、水が溜まったままの状態で、加湿装置１００を数日間放置した場合でも、加湿装置１００の運転開始時の加熱殺菌を行うことができる。そして、マイクロコンピューター２１は、時間ｔ１が経過した後に、超音波振動子１３への通電命令を行い、霧化水槽６内にある水の霧化を開始するため、加熱殺菌された水が加湿装置１００から放出されることとなる。
【００３８】
霧化が開始された後は、所定の加湿能力（単位時間当たりの放出水分量）にて加湿運転が行われるが、加湿に必要な新たな水は水タンク２から供給される。その際、霧化される水は、霧化水槽６に設けられた予熱用配管８を介して霧化水槽６内に供給される。ここで、予熱用配管８は、霧化水槽６に同じく設けられた加熱手段７により、霧化水槽６を介して加熱されている。
なお、予熱用配管８内の水温は、霧化水槽６に設けられた水温計測手段２０により間接的に計測されている。そして、マイクロコンピューター２１は、この間接的に計測した予熱用配管８内の水温が、予め設定され記憶部２３に記憶された温度Ｔ２（第２の温度）に維持されるように加熱手段７への通電を制御している。
【００３９】
また、図６で説明したように、予熱用配管８の長さＬ及び内径Ｄは、加湿装置１００の加湿能力に応じた寸法に設定されており、予熱用配管８の入口から霧化水槽６に入るまでの時間が所定時間ｔ２（第２の時間）以上になるように設定される。その結果、ゴムホース２８から予熱用配管８に流入した水は、霧化水槽６に入るまでに、温度Ｔ２の温度状態が少なくとも時間ｔ２だけ維持されることとなる。なお、温度Ｔ２及び時間ｔ２は、菌の加熱殺菌に必要なプロファイルに基づき設定されている（たとえば、Ｔ２が６５℃、ｔ２が５分）。
このように、加湿装置１００は、加湿運転中において、新たに水受部５から霧化水槽６に供給される水を、予熱用配管８で加熱殺菌することができるものとなっており、霧化水槽６内に流入した水が超音波振動子１３によりすぐに霧化されても、加湿装置１００外に菌を放出することを抑制することができる。
【００４０】
［実施の形態に係る加湿装置１００の有する効果］
本実施の形態に係る加湿装置１００は、霧化水槽６に設けられる加熱手段７を有するので、霧化水槽６に貯留され、雑菌が繁殖した可能性のある水を加熱殺菌することができ、霧化する水の衛生性を確保することができる。
【００４１】
本実施の形態に係る加湿装置１００は、加熱手段７の熱が予熱用配管８に伝達されるので、水が水受部５から霧化水槽６に供給される間に水を加熱殺菌することができる。このため、加湿装置１００は、加湿運転中に常に煮沸状態とする必要がなく、その分、利便性を向上させるとともに、省エネルギーとなっている。
【００４２】
本実施の形態に係る加湿装置１００は、加熱手段７とは別に、水受部５に加熱手段が設けられたものではないため、その分省スペースであるとともに、コストアップを抑制することができる。
【符号の説明】
【００４３】
１  本体、１Ａ  上面部、２  水タンク、３  タンクキャップ、４  落水口、５  水受部、５Ａ  接続部、５Ｂ  凸部、６  霧化水槽、６Ａ  凹形状部、６Ｂ  流入口、６Ｃ  開口、７  加熱手段、８  予熱用配管、９  霧案内筒、１０  吸気口、１１  連結チューブ、１２  空気案内筒、１２Ａ  開口部、１３  超音波振動子（振動手段）、１４  混合室、１５  吹出口、１６  給水口、１７  運転スイッチ、１８  温度センサー、１９  湿度センサー、２０  水温計測手段、２１  マイクロコンピューター（制御手段）、２２  入力回路、２３  記憶部、２４  制御部、２５  タイマー部、２６  出力回路、２７  表示部、２８  ゴムホース（給水通路）、２９  止水弁、２９Ａ  弁シャフト、３０  バネ、１００  加湿装置。
【図１】
0005968020.tif 000002
【図２】
0005968020.tif 000003
【図３】
0005968020.tif 000004
【図４】
0005968020.tif 000005
【図５】
0005968020.tif 000006
【図６】
0005968020.tif 000007